(57)【要約】【課題】ホルダを構成する一対の半割体の開きを防止して絶縁性を確保する。【解決手段】本発明は、ケースＣの取付孔Ｃ１に対して前後方向に嵌合可能なコネクタであって、電線３２の端末に接続された端子３１と、一対の半割体４１を互いに組み付けることで隣り合う一対の端子３１間に絶縁壁４６が形成されて端子３１が互いに絶縁されるとともに、いずれか一方の半割体４１に設けられた保持突起４２によって端子３１を保持するホルダ４０と、一対の半割体４１が組み付けられた部分をその組付方向の外側から挟むことにより、一対の半割体４１が開いて絶縁壁４６に隙間が形成されることを防ぐ一対の開き防止壁４５が設けられたフロントハウジング２０と、フロントハウジング２０とともにホルダ４０を内部に収容し、電線３２が後方に引き出されたリアハウジング６０とを備えた構成としたところに特徴を有する。【選択図】図３
2014067660.tif 000002
【特許請求の範囲】
【請求項１】
相手側コネクタに対して前後方向に嵌合可能なコネクタであって、
電線の端末に接続された端子と、
一対の半割体を互いに組み付けることで隣り合う一対の前記端子間に絶縁壁が形成されて前記端子が互いに絶縁されるとともに、いずれか一方の前記半割体に設けられた保持部によって前記端子を保持するホルダと、
前記一対の半割体が組み付けられた部分をその組付方向の外側から挟むことにより、前記一対の半割体が開いて前記絶縁壁に隙間が形成されることを防ぐ一対の開き防止壁が設けられたフロントハウジングと、
前記フロントハウジングとともに前記ホルダを内部に収容し、前記電線が後方に引き出されたリアハウジングとを備えたコネクタ。
【請求項２】
前記端子は、前記相手側コネクタに設けられた相手側端子に接続される接続部を備え、この接続部は、前記ホルダから前方に突出して配設され、前記フロントハウジングは、隣り合う一対の前記接続部を互いに絶縁する仕切壁を有していることを特徴とする請求項１に記載のコネクタ。
【請求項３】
前記フロントハウジングにおいて前記接続部を挿通させる挿通部は、前記一対の開き防止壁と、これらを互いに連結する一対の側壁とによって囲まれた挿通孔が複数並んで配された格子状に形成されており、前記側壁のうち隣り合う一対の前記挿通孔間に形成された側壁の前縁に、前記仕切壁が前方に突出して形成されていることを特徴とする請求項２に記載のコネクタ。
【請求項４】
前記リアハウジングにおける前記ホルダを収容する収容部は、前方に開口する形態をなし、前記ホルダは、前記収容部の開口縁部に前方から係止する係止突部を備えていることを特徴とする請求項３に記載のコネクタ。
【請求項５】
前記フロントハウジングは、前記収容部の開口縁部に前方から当接する当接部を有しており、この当接部は、前記係止突部を逃がす逃がし部を備えていることを特徴とする請求項４に記載のコネクタ。
【請求項６】
前記リアハウジングの外周面には、シールリングが嵌着されており、前記当接部は、径方向外側に張り出して形成されることで、前記シールリングの前止まりを行うようにされていることを特徴とする請求項５に記載のコネクタ。
【発明の詳細な説明】
【技術分野】
【０００１】
本発明は、コネクタに関する。
【背景技術】
【０００２】
従来、一対の半割体からなるホルダによって端子を保持したコネクタとして、下記特許文献１に記載のものが知られている。このコネクタは、ホルダの前壁に形成された保持部を端子の孔に貫通させて端子をホルダに保持するようにしている。端子においてホルダの前壁から前方に突出した部分は、端子台にボルト止めされる接続部とされている。
【先行技術文献】
【特許文献】
【０００３】
【特許文献１】特開２０１１−２２８０１７号公報
【発明の概要】
【発明が解決しようとする課題】
【０００４】
しかしながら、上記のような端子台は、所定の取付誤差をもって機器に固定されているため、取付誤差が大きいにもかかわらず、端子の接続部を端子台に無理にボルト止めしようとすると、一対の半割体が開いてしまう場合があり、隣り合う一対の端子間の絶縁性が低下してしまう。
【０００５】
本発明は上記のような事情に基づいて完成されたものであって、ホルダを構成する一対の半割体の開きを防止して絶縁性を確保することを目的とする。
【課題を解決するための手段】
【０００６】
本発明は、相手側コネクタに対して前後方向に嵌合可能なコネクタであって、電線の端末に接続された端子と、一対の半割体を互いに組み付けることで隣り合う一対の端子間に絶縁壁が形成されて端子が互いに絶縁されるとともに、いずれか一方の半割体に設けられた保持部によって端子を保持するホルダと、一対の半割体が組み付けられた部分をその組付方向の外側から挟むことにより、一対の半割体が開いて絶縁壁に隙間が形成されることを防ぐ一対の開き防止壁が設けられたフロントハウジングと、フロントハウジングとともにホルダを内部に収容し、電線が後方に引き出されたリアハウジングとを備えた構成としたところに特徴を有する。
【０００７】
このような構成によると、一対の開き防止壁によって一対の半割体を挟むことにより、一対の半割体が開いて絶縁壁に隙間が形成されることを防ぐことができる。したがって、隣り合う一対の端子間の絶縁性を確保することができる。
【０００８】
本発明の実施の態様として、以下の構成が好ましい。
端子は、相手側コネクタに設けられた相手側端子に接続される接続部を備え、この接続部は、ホルダから前方に突出して配設され、フロントハウジングは、隣り合う一対の接続部を互いに絶縁する仕切壁を有している構成としてもよい。
このような構成によると、隣り合う一対の接続部間の絶縁性を仕切壁によって確保することができる。
【０００９】
フロントハウジングにおいて接続部を挿通させる挿通部は、一対の開き防止壁と、これらを互いに連結する一対の側壁とによって囲まれた挿通孔が複数並んで配された格子状に形成されており、側壁のうち隣り合う一対の挿通孔間に形成された側壁の前縁に、仕切壁が前方に突出して形成されている構成としてもよい。
このような構成によると、一対の半割体を挿通部によって全周に亘って囲むことができ、一対の半割体が開くことを強固に阻止できる。また、側壁の前縁から仕切壁を前方に突出して形成しているため、挿通部から仕切壁に亘って絶縁性を確保することができる。
【００１０】
リアハウジングにおけるホルダを収容する収容部は、前方に開口する形態をなし、ホルダは、収容部の開口縁部に前方から係止する係止突部を備えている構成としてもよい。
このような構成によると、ホルダの係止突部を収容部の開口縁部に前方から係止させることにより、ホルダを収容部に保持することができ、かつ、電線が後方へ引っ張られたときに、端子が後方へ動くのを阻止することができる。
【００１１】
フロントハウジングは、収容部の開口縁部に前方から当接する当接部を有しており、この当接部は、係止突部を逃がす逃がし部を備えている構成としてもよい。
このような構成によると、フロントハウジングの当接部を収容部の開口縁部に前方から当接させることにより、フロントハウジングとリアハウジングによってこれらを前後方向に位置決めすることができる。その際、ホルダの係止突部をフロントハウジングの逃がし部に逃がすことにより、係止突部と当接部が干渉することを回避できる。これにより、ホルダはフロントハウジングとリアハウジングにより挟み込まれて保持されるから、係止突部を係合させる部位をフロントハウジングに別途設ける必要がなく、コネクタ全体の小型化に寄与する。
【００１２】
リアハウジングの外周面には、シールリングが嵌着されており、当接部は、径方向外側に張り出して形成されることで、シールリングの前止まりを行うようにされている構成としてもよい。
このような構成によると、当接部を径方向外側に張り出して形成することで、この張り出し部をシールリングの前止まりとして利用することができる。
【発明の効果】
【００１３】
本発明によれば、ホルダを構成する一対の半割体の開きを防止して絶縁性を確保することができる。
【図面の簡単な説明】
【００１４】
【図１】実施形態１におけるシールドコネクタの分解斜視図
【図２】シールドコネクタの斜視図
【図３】シールドコネクタの内部構造を示す斜視断面図
【図４】シールドコネクタのシールドシェルに編組線を圧着接続した状態を示す平面図
【図５】シールドコネクタを端子台に接続した状態を示す断面図
【図６】シールドコネクタの組み立てる途中の状態を示す断面図
【図７】シールドコネクタを組み立てた後の状態を示す断面図
【図８】シールドコネクタの平面図
【図９】図８におけるＡ−Ａ線断面図
【図１０】フロントハウジングの背面図
【図１１】リアハウジングの正面図
【図１２】実施形態２におけるシールドコネクタの分解斜視図
【図１３】シールドコネクタの斜視図
【図１４】シールドコネクタの内部構造を示す斜視断面図
【図１５】シールドコネクタのシールドシェルに編組線を圧着接続した状態を示す平面図
【図１６】シールドコネクタを端子台に接続した状態を示す断面図
【図１７】シールドコネクタの組み立てる途中の状態を示す断面図
【図１８】シールドコネクタを組み立てた後の状態を示す断面図
【図１９】シールドコネクタの平面図
【図２０】図１９におけるＤ−Ｄ線断面図
【図２１】フロントハウジングの背面図
【図２２】リアハウジングの正面図
【発明を実施するための形態】
【００１５】
＜実施形態１＞
本発明の実施形態１を図１ないし図１１の図面を参照しながら説明する。本実施形態のシールドコネクタ１０は、モータやインバータなどの機器のケースＣに接続される機器用コネクタである。ケースＣは導電性の金属からなり、図５に示すように、シールドコネクタ１０が嵌合して取り付けられる取付孔Ｃ１、ケースＣの内部に配設された端子台Ｃ２、端子台Ｃ２の上方に開口されてボルト締結用の工具などが挿入される作業孔Ｃ３などを備えて構成されている。なお、以下の説明において前方とは、取付孔Ｃ１に嵌合する方向とし、後方とは、取付孔Ｃ１から離脱する方向とする。
【００１６】
シールドコネクタ１０は、図１に示すように、図示左側から順に、フロントハウジング２０、端子付き電線３０、ホルダ４０、シールリング５０、リアハウジング６０、ゴム栓７０、シールドシェル８０、かしめリング９０などを備えて構成されている。シールドシェル８０は、筒状をなすシェル本体８１と、このシェル本体８１から斜め前方に張り出す左右一対の取付部８２とを備えている。図５に示すように、シェル本体８１の外周面に筒状をなす編組線Ｂを被せた状態で、編組線Ｂの外周からかしめリング９０をかしめて固着することにより、編組線Ｂとシールドシェル８０が導通可能に接続されている。この編組線Ｂは、シールドコネクタ１０から後方に引き出された複数の電線Ｗを一括して覆っており、このシールドコネクタ１０は、複数の電線Ｗからなる導電路を一括してシールドする一括シールドコネクタとされている。
【００１７】
端子付き電線３０は、図１に示すように、平板状の端子３１と、この端子３１に接続された電線３２とを備えて構成されている。端子３１は、導電性の金属板を打ち抜いて曲げ加工を施したものであり、端子台Ｃ２にボルト締結される接続部３３、電線３２の芯線に圧着される圧着部３４などを備えている。接続部３３には、ボルトが挿通されるボルト挿通孔３５が板厚方向に貫通して形成されている。接続部３３は、図６に示すように、その後方に連なる基端部３６を水平方向に配した場合に、基端部３６の前縁からやや斜め上方に延出されている。基端部３６には、抜止孔３７が板厚方向に貫通して形成されている。一方、電線３２は、断面横長の芯線を絶縁被覆で覆ってなるフラットケーブルとされている。
【００１８】
ホルダ４０は、上下一対の半割体４１からなり、上側の半割体４１には、下側の半割体４１に向けて下方に突出する保持突起４２が形成されている。一方、下側の半割体４１には、保持突起４２を受け入れる受入孔４３が上下方向に貫通して形成されている。したがって、両半割体４１によって端子３１の基端部３６を上下方向から挟み込むと、保持突起４２が基端部３６の抜止孔３７を貫通するとともに、下側の半割体４１の受入孔４３に差し込まれる。これにより、端子３１がホルダ４０に保持される。このとき、端子３１は、保持突起４２の前後両側で両半割体４１によって上下方向から挟み込まれており、端子３１が保持突起４２を中心として揺動することが規制されている。
【００１９】
上側の半割体４１の上面と下側の半割体４１の下面とには、それぞれ係止突部４４が形成されている。この係止突部４４のうち後側の面は上下方向に切り立った係止面とされており、前側の面は傾斜面とされている。保持突起４２は、係止突部４４よりも前側に配されている。
【００２０】
リアハウジング６０は合成樹脂製であって、図５に示すように、端子付き電線３０を前後方向に挿通させる電線挿通部を有し、この電線挿通部は、端子３１を収容する端子収容部６１と、ゴム栓７０を収容するゴム栓収容部６２とから構成されている。また、端子収容部６１とゴム栓収容部６２の間には、これらを仕切る隔壁６３が形成されている。この隔壁６３には、電線３２の径寸法と同じかこれよりやや大きめの径寸法を有する貫通孔が形成されている。
【００２１】
ゴム栓収容部６２には、ゴム栓７０が収容され、ゴム栓７０の後方には、バックリテーナ７１が収容されている。このバックリテーナ７１は、周知の係止手段によりゴム栓収容部６２に抜止状態で収容されている。したがって、ゴム栓７０は、リアハウジング６０の隔壁６３とバックリテーナ７１との間に保持されている。ゴム栓７０は、電線３２の外周面とゴム栓収容部６２の内周面との双方に対して全周に亘って密着している。このため、リアハウジング６０の後方からゴム栓収容部６２を通って端子収容部６１に水が浸入することが抑制されている。
【００２２】
リアハウジング６０の外周面における前端部には、図１に示すように、シールリング５０が嵌着されるシール面６４が形成されている。このシール面６４は、複数の端子収容部６１を一括して覆うように周設されている。シールリング５０の前縁および後縁には、回り止め突部５１が形成されている。一方、リアハウジング６０のシール面６４の後方には、シールリング５０の後方への移動を抑制する後側シール壁６５が周設されている。この後側シール壁６５には、回り止め突部５１が前方から嵌合してシールリング５０の回り止めを行う回り止め凹部６６が形成されている。
【００２３】
端子収容部６１は、図５に示すように、前方に開口する形態をなし、端子収容部６１の開口部は、ホルダ４０が内部に収容可能な収容部６７とされている。この収容部６７はシール面６４の内側に形成されている。ホルダ４０を収容部６７内に収容すると、係止突部４４が収容部６７の開口縁部に前方から係止するようになっており、これによりホルダ４０が収容部６７内に保持される。このとき、係止突部４４の係止面から後方に延びる台座部４５は、収容部６７の内壁によって上下方向から挟まれて面接触した状態になっており、ホルダ４０が収容部６７内で揺動することが抑制されている。
【００２４】
フロントハウジング２０は合成樹脂製であって、図１に示すように、各端子３１に対応して形成された挿通孔２１が複数並んで配設された挿通部２２を備えている。挿通部２２は、複数の挿通孔２１が並んで配設された格子状をなしている。各挿通孔２１の左右両側には、一対の側壁２３が形成されており、この側壁２３の前縁に、仕切壁２４が前方に突出して連設されている。左右に隣り合う一対の挿通孔２１間には、共通の側壁２３が一つ設けられている。これに伴って、共通の側壁２３の前縁から共通の仕切壁２４が前方に突出して一つ設けられている。
【００２５】
各挿通孔２１は横長の長方形状とされており、上下一対の開き防止壁２５と、左右一対の側壁２３とによって囲まれた空間として構成されている。一対の開き防止壁２５は、図５に示すように、上下一対の半割体４１を上下両側から挟む位置に配されており、上下一対の半割体４１が上下方向に開くことを防止している。また、上側の半割体４１における保持突起４２の後側には、端子３１の左右両側に配された一対の絶縁壁４６が形成されている。上下一対の半割体４１が挿通部２２の挿通孔２１に挿入されて上下一対の開き防止壁２５によって上下両側から挟まれた状態では、絶縁壁４６の下端縁が下側の半割体４１の上面（一対の半割体４１を組み付けた状態において端子３１が収容される空間を構成する内壁面のうち端子３１の下側に配された底面）に押圧されるため、上下一対の半割体４１が互いに離間する方向に開こうとしても、上下一対の開き防止壁２５によって各半割体４１の開きが防止され、隣り合う一対の端子３１間の絶縁性が確保される。
【００２６】
さらに、フロントハウジング２０の後面には、図１０に示すように、隣り合う一対の挿通孔２１の間に配された一対の対向壁２９が後方に突出して形成されている。この一対の対向壁２９は、挿通孔２１の孔縁部から後方に立ち上がるように形成されており、側壁２３の後方において所定の間隔を空けて対向状態で配されている。一方、図１１に示すように、リアハウジング６０において隣り合う一対の端子収容部６１間には、これらの端子収容部６１を区画する区画壁６８が形成されている。両ハウジング２０，６０を組み付けると、対向状態で配された一対の対向壁２９の間には、リアハウジング６０の区画壁６８が進入するようになっている。このように、一対の対向壁２９と区画壁６８がラビリンス構造をなすことにより、隣り合う一対の端子３１間の沿面距離を稼いで、さらに絶縁性を高めることができる。
【００２７】
また、フロントハウジング２０には、図５に示すように、シール面６４に嵌着されたシールリング５０の前止まりを行う前側シール壁２６が形成されている。この前側シール壁２６は、フロントハウジング２０の後縁に周設されており、収容部６７の開口縁部に対して前方から当接可能とされている。前側シール壁２６の上下両側部分は、フロントハウジング２０の上下両面から上下両側に張り出すように形成されている。また、前側シール壁２６の内周面には、係止突部４４を逃がす逃がし部２７が形成されている。さらに、前側シール壁２６のうち上下両側には、図２に示すように、回り止め突部５１が嵌まり込んでシールリング５０の回り止めを行う回り止め凹部２８が設けられている。
【００２８】
本実施形態は以上のような構成であって、続いてその作用を説明する。まず、シールドコネクタ１０の組立方法について説明する。組立にあたっては、図６に示すように、電線３２を、編組線Ｂと、かしめリング９０と、シールドシェル８０と、リアハウジング６０と、ゴム栓７０と、リテーナ７１とに先通ししておく。電線３２の端末で絶縁被覆を皮剥ぎして芯線を露出させた後、端子３１の圧着部３４を電線３２の芯線に圧着させる。また、リアハウジング６０のシール面６４にシールリング５０を予め嵌着しておく。
【００２９】
次に、端子３１の基端部３６を一対の半割体４１によって上下両側から挟み付ける。このとき、保持突起４２が抜止孔３７を貫通して受入孔４３に挿入され、端子３１がホルダ４０に保持される。このホルダ４０をリアハウジング６０の収容部６７内に前方から収容すると、上下一対の係止突部４４が収容部６７の開口縁部に対して前方から当接することで、ホルダ４０がリアハウジング６０に保持される。この後、フロントハウジング２０をホルダ４０の前方から装着すると、一対の半割体４１が互いに組み付けられたホルダ４０の前端部分が挿通孔２１に挿入されるとともに、前側シール壁２６が収容部６７の開口縁部に対して前方から当接し、ホルダ４０が収容部６７内に正規に組み付けられる。また、フロントハウジング２０とリアハウジング６０は、図示しない係止構造によって組付状態に保持される。こうして、シールドコネクタ１０の組立が完成する。
【００３０】
次に、シールドコネクタ１０をケースＣに取り付ける方法について説明する。フロントハウジング２０を取付孔Ｃ１に嵌合させると、図５に示すように、端子３１の接続部３３が端子台Ｃ２上に配置される。シールリング５０は、シール面６４と取付孔Ｃ１の内周面との双方に対して密着した状態となり、取付孔Ｃ１を通ってケースＣ内に水が浸入することが防止される。作業孔Ｃ３から工具を挿入して端子３１と端子台Ｃ２をボルト締結していくと、端子台Ｃ２の取付公差などによって端子３１が正規の姿勢よりも傾いた状態で取り付けられる場合がある。このとき、上下一対の半割体４１は互いに開こうとするものの、フロントハウジング２０の挿通部２２によって互いに開くことが抑制されているため、絶縁壁４６に隙間が発生することを防止できる。これにより、隣り合う一対の端子３１間の絶縁性を確保できる。
【００３１】
以上のように本実施形態では、一対の開き防止壁２５によって一対の半割体４１を挟むことにより、一対の半割体４１が開いて絶縁壁４６に隙間が形成されることを防ぐことができる。したがって、隣り合う一対の端子３１間の絶縁性を確保することができる。
【００３２】
また、端子３１は、ケースＣの取付孔Ｃ１内に設けられた端子台Ｃ２に接続される接続部３３を備え、この接続部３３は、ホルダ４０から前方に突出して配設され、フロントハウジング２０は、隣り合う一対の接続部３３を互いに絶縁する仕切壁２４を有している構成としてもよい。このような構成によると、隣り合う一対の接続部３３間の絶縁性を仕切壁２４によって確保することができる。
【００３３】
フロントハウジング２０において接続部３３を挿通させる挿通部２２は、一対の開き防止壁２５と、これらを互いに連結する一対の側壁２３とによって囲まれた挿通孔２１が複数並んで配された格子状に形成されており、側壁２３のうち隣り合う一対の挿通孔２１間に形成された側壁２３の前縁に、仕切壁２４が前方に突出して形成されている構成としてもよい。このような構成によると、一対の半割体４１を挿通部２２によって全周に亘って囲むことができ、一対の半割体４１が開くことを強固に阻止できる。また、側壁２３の前縁から仕切壁２４を前方に突出して形成しているため、挿通部２２から仕切壁２４に亘って絶縁性を確保することができる。
【００３４】
リアハウジング６０におけるホルダ４０を収容する収容部６７は、前方に開口する形態をなし、ホルダ４０は、収容部６７の開口縁部に前方から係止する係止突部４４を備えている構成としてもよい。このような構成によると、ホルダ４０の係止突部４４を収容部６７の開口縁部に前方から係止させることにより、ホルダ４０を収容部６７に保持することができ、かつ、電線３２が後方へ引っ張られたときに、端子３１が後方へ動くのを阻止することができる。
【００３５】
フロントハウジング２０は、収容部６７の開口縁部に前方から当接する前側シール壁２６を有しており、この前側シール壁２６は、係止突部４４を逃がす逃がし部２７を備えている構成としてもよい。このような構成によると、フロントハウジング２０の前側シール壁２６を収容部６７の開口縁部に前方から当接させることにより、フロントハウジング２０とリアハウジング６０によってこれらを前後方向に位置決めすることができる。その際、ホルダ４０の係止突部４４をフロントハウジング２０の逃がし部２７に逃がすことにより、係止突部４４と前側シール壁２６が干渉することを回避できる。これにより、ホルダ４０はフロントハウジング２０とリアハウジング６０により挟み込まれて保持されるから、係止突部４４を係合させる部位をフロントハウジング２０に別途設ける必要がなく、シールドコネクタ１０全体の小型化に寄与する。
【００３６】
リアハウジング６０の外周面には、シールリング５０が嵌着されており、前側シール壁２６は、径方向外側に張り出して形成されることで、シールリング５０の前止まりを行うようにされている構成としてもよい。このような構成によると、前側シール壁２６を径方向外側に張り出して形成することで、この張り出し部をシールリング５０の前止まりとして利用することができる。
【００３７】
＜実施形態２＞
次に、本発明の実施形態２を図１２ないし図２２の図面を参照しながら説明する。本実施形態のシールドコネクタ１１０は、実施形態１のシールドコネクタ１０の一部の形状を変更したものであって、実施形態１と共通する構成、作用、および効果についてはその説明を省略する。また、実施形態１と同じ構成については、実施形態１と同一の符号を用いるものとする。
【００３８】
本実施形態の端子付き電線１３０は、平板状をなす端子１３１と、この端子１３１に接続された電線３２とを備えて構成されている。端子１３１は、実施形態１と同様の圧着部３４、基端部３６などを備えて構成されている。しかしながら、本実施形態の接続部１３３は、実施形態１の接続部３３よりも基端部３６からの立ち上がり角度が急となっている。これは、図１６に示すように、ケースＣが斜めに配され、端子台Ｃ２も斜めに配されているにもかかわらず、コネクタ１１０を取付孔Ｃ１に対して真っ直ぐに挿入する必要があるためである。これに伴って、端子１３１の先端がＬ字曲げされており、本実施形態のシールドシェル１８０の取付部１８２は、シェル本体８１に対する立ち上がり角度が実施形態１よりも急となっている。
【００３９】
また、本実施形態のホルダ１４０は、上下一対の半割体１４１からなる点については実施形態１と同じであるものの、保持突起４２が下側の半割体１４１に設けられている点で実施形態１とは異なる。これに伴って、受入孔４３は、上側の半割体１４１に設けられている。さらに、本実施形態の絶縁壁１４６は、図２０に示すように、下側の半割体１４１の両側縁から上方に突出して形成されている。絶縁壁１４６は、端子１３１の左右両側に一対配されている。
【００４０】
＜他の実施形態＞
本発明は上記記述及び図面によって説明した実施形態に限定されるものではなく、例えば次のような実施形態も本発明の技術的範囲に含まれる。
（１）上記実施形態では、端子を保持する保持部として保持突起４２を例示しているものの、本発明によると、弾性的に撓み可能なランスを保持部としてもよい。
【００４１】
（２）上記実施形態では、本発明の相手側コネクタとして、ケースＣにおける取付孔Ｃ１を構成する部分を例示しているものの、本発明によると、電線の端末に接続されたコネクタを相手側コネクタとしてもよい。
【００４２】
（３）上記実施形態では、本発明の当接部として、前側シール壁２６を例示しているものの、シールリングがない場合には、前側シール壁２６のようにフロントハウジング２０の外面から径方向外側に張り出す形態で形成しなくてもよい。
【符号の説明】
【００４３】
１０，１１０…シールドコネクタ
２０…フロントハウジング
２１…挿通孔
２２…挿通部
２３…側壁
２４…仕切壁
２５…開き防止壁
２６…前側シール壁（当接部）
２７…逃がし部
３１，１３１…端子
３２…電線
３３…接続部
４０，１４０…ホルダ
４１，１４１…半割体
４２…保持突起（保持部）
４４…係止突部
４６，１４６…絶縁壁
５０…シールリング
６０…リアハウジング
６７…収容部
Ｃ１…取付孔（相手側コネクタ）
Ｃ２…端子台（相手側端子）
【図１】
2014067660.tif 000003
【図２】
2014067660.tif 000004
【図３】
2014067660.tif 000005
【図４】
2014067660.tif 000006
【図５】
2014067660.tif 000007
【図６】
2014067660.tif 000008
【図７】
2014067660.tif 000009
【図８】
2014067660.tif 000010
【図９】
2014067660.tif 000011
【図１０】
2014067660.tif 000012
【図１１】
2014067660.tif 000013
【図１２】
2014067660.tif 000014
【図１３】
2014067660.tif 000015
【図１４】
2014067660.tif 000016
【図１５】
2014067660.tif 000017
【図１６】
2014067660.tif 000018
【図１７】
2014067660.tif 000019
【図１８】
2014067660.tif 000020
【図１９】
2014067660.tif 000021
【図２０】
2014067660.tif 000022
【図２１】
2014067660.tif 000023
【図２２】
2014067660.tif 000024